(57)【要約】【課題】携帯受信機とテレビジョン受像機との間で、スムーズに視聴先を切替える。【解決手段】携帯電話機１で番組を出力していた後に終了すると、携帯電話機１では、最後に切替えられた番組に関する情報が視聴情報として記憶される。携帯電話機１では、ユーザからテレビジョン受像機３をＯＮするための操作や携帯電話機１で出力していた番組を引続きテレビジョン受像機３で出力させるための操作を受付けると、視聴情報に基づいて番組を指定する情報がテレビジョン受像機３に送信される。上記番組がまだ放送中である場合には、テレビジョン受像機３ではその番組のチャンネルに切換わり、放送が終了している場合には、チャンネルの切替えが行なわれない。【選択図】図１０
2008263423.tif 000002
【特許請求の範囲】
【請求項１】
チューナで受信されたテレビ放送波を処理する処理手段と、
前記テレビ放送波に基づいてテレビ番組を出力する出力手段と、
前記出力手段で出力するテレビ番組を第１のテレビ番組から第２のテレビ番組に切替える切替手段と、
前記第２のテレビ番組を特定する情報を記憶する記憶手段と、
テレビジョン受像機を制御するためのリモートコントロール信号を生成する生成手段とを備え、
前記生成手段は、前記第２のテレビ番組を特定する情報に基づいて前記リモートコントロール信号を生成する、携帯受信機。
【請求項２】
出力手段で出力するテレビ番組のチャンネルを設定する設定手段をさらに備え、
前記設定手段は、前記記憶手段に記憶される前記第２のテレビ番組を特定する情報に基づいて前記チャンネルを設定する、請求項１に記載の携帯受信機。
【請求項３】
前記リモートコントロール信号には、前記第２のテレビ番組を特定する情報と、前記第２のテレビ番組のチャンネルを特定する情報とが含まれる、請求項１に記載の携帯受信機。
【請求項４】
チューナで受信されたテレビ放送波を処理する処理手段と、
前記テレビ放送波に基づいてテレビ番組を出力する出力手段と、
リモートコントロール信号を受信する受信手段とを備え、
前記リモートコントロール信号には第１のテレビ番組を特定する情報に基づいた制御信号が含まれ、
前記リモートコントロール信号に含まれる制御信号に従って前記チューナを起動させる起動手段と、
前記リモートコントロール信号に含まれる前記制御信号に基づいて、出力手段で出力するテレビ番組のチャンネルを第１のチャンネルから、前記第１のテレビ番組を特定する情報に基づいた第２のチャンネルに切替えるチャンネル切替手段とをさらに備える、テレビジョン受像機。
【請求項５】
前記リモートコントロール信号に含まれる制御信号で特定される前記第１のテレビ番組が放送中であることを判断する判断手段をさらに備え、
前記チャンネル切替手段は、前記判断手段において前記第１のテレビ番組が放送中であることが判断された場合に、前記第１のチャンネルから前記第２のチャンネルに切替える、請求項４に記載のテレビジョン受像機。
【請求項６】
前記出力手段で出力するテレビ番組を第２のテレビ番組から第３のテレビ番組に切替える番組切替手段と、
前記第３のテレビ番組を特定する情報を記憶する記憶手段と、
前記リモートコントロール信号に含まれる制御信号で特定される前記第１のテレビ番組が放送中であることを判断する判断手段とをさらに備え、
前記チャンネル切替手段は、前記判断手段において前記第１のテレビ番組が放送中でないことが判断された場合には、前記第１のチャンネルから前記第３のテレビ番組のチャンネルに切替える、請求項４に記載のテレビジョン受像機。
【請求項７】
前記リモートコントロール信号に含まれる制御信号で特定される前記第１のテレビ番組が放送中であることを判断する判断手段と、
前記リモートコントロール信号を受信したときに電源がＯＮの状態であって、前記判断手段において前記第１のテレビ番組が放送中でないことが判断された場合に、その旨を報知する報知手段とをさらに備える、請求項４に記載のテレビジョン受像機。
【請求項８】
前記リモートコントロール信号には電源をＯＮさせる制御信号が含まれ、前記リモートコントロール信号を受信したときに電源がＯＦＦの状態である場合に、前記制御信号に従って前記チューナを起動させる起動手段をさらに備える、請求項４に記載のテレビジョン受像機。
【請求項９】
携帯受信機とテレビジョン受像機とを含み、
前記携帯受信機は、
チューナで受信されたテレビ放送波を処理する処理手段と、
前記テレビ放送波に基づいてテレビ番組を出力する出力手段と、
前記出力手段で出力するテレビ番組を第１のテレビ番組から第２のテレビ番組に切替える切替手段と、
前記第２のテレビ番組を特定する情報を記憶する記憶手段と、
前記テレビジョン受像機を制御するための、前記第２のテレビ番組を特定する情報に基づいた制御信号に基づいてリモートコントロール信号を生成する生成手段とを備え、
前記テレビジョン受像機は、
チューナで受信されたテレビ放送波を処理する処理手段と、
前記テレビ放送波に基づいてテレビ番組を出力する出力手段と、
前記リモートコントロール信号を受信する受信手段と、
前記リモートコントロール信号に含まれる制御信号に従って前記チューナを起動させる起動手段と、
前記リモートコントロール信号に含まれる前記制御信号に基づいて、出力手段で出力するテレビ番組のチャンネルを第１のチャンネルから、前記第２のテレビ番組を特定する情報に基づいた第２のチャンネルに切替えるチャンネル切替手段とを備える、テレビシステム。
【発明の詳細な説明】
【技術分野】
【０００１】
この発明は携帯受信機、テレビジョン受像機、およびテレビシステムに関し、特に、テレビチューナ内蔵の携帯受信機とテレビジョン受像機との間で、スムーズに視聴先を切替えることのできる携帯受信機、テレビジョン受像機、およびテレビシステムに関する。
【背景技術】
【０００２】
いわゆるワンセグ放送（ワンセグメント放送）と言われる、地上デジタル放送で行なわれる携帯電話機などの移動式の携帯受信機向けに放送される放送電波を受信し、視聴することのできる、ワンセグ携帯と言われるテレビチューナ内蔵携帯電話機等の携帯受信機が普及してきている。
【０００３】
従来、テレビチューナ内蔵携帯電話等の携帯受信機と家庭用テレビジョン受像機等の固定式のテレビジョン受像機（以下、固定受信機）との間では、独立してチャンネルが選択されていた。そのため、それぞれの装置において、独立した方法でチャンネルを選択する必要があった。たとえば、携帯受信機でテレビ放送を視聴し、引続いて同じ番組を固定受信機で視聴しようとする場合、固定受信機専用のコントローラを用いて電源を固定受信機の電源をＯＮし、さらに同じ番組のチャンネルを改めて選択する必要があった。
【０００４】
特開２００６−６７１９８号公報（以下、特許文献１）では、携帯受信機で地上デジタルテレビを視聴中の視聴者が、固定受信機で視聴可能な環境に移動した際に簡単な操作で固定受信機の視聴番組を携帯受信機で視聴中の番組に合わせる技術が開示されており、このような煩雑な操作を軽減しようとしている。
【特許文献１】特開２００６−６７１９８号公報
【発明の開示】
【発明が解決しようとする課題】
【０００５】
しかしながら、固定受信機のない環境において携帯受信機でテレビを視聴した後、固定受信機のある環境に移動した場合、具体的には、外から家に帰宅した際など、一旦携帯受信機での視聴を中断する場合も想定される。その場合、特許文献１に開示されている技術を用いて携帯受信機で視聴中の番組を固定受信機で引続き視聴するためには、中断していた携帯受信機での視聴を再開しなければならないという課題があった。また、携帯受信機で視聴していた番組が視聴を中断していた間に終了した場合、固定受信機では、電源をＯＦＦしたり、他のチャンネルに切替えたりする操作が必要になる場合がある、という課題もあった。
【０００６】
本発明はこれらの課題に鑑みてなされたものであって、テレビチューナ内蔵の携帯受信機で視聴中の番組を固定受信機で引続き視聴する際に、携帯受信機とテレビジョン受像機との間でスムーズに視聴先を切替えることのできる携帯受信機、テレビジョン受像機、およびテレビシステムを提供することを目的とする。
【課題を解決するための手段】
【０００７】
上記目的を達成するために、本発明のある局面に従うと、携帯受信機は、チューナで受信されたテレビ放送波を処理する処理手段と、テレビ放送波に基づいてテレビ番組を出力する出力手段と、出力手段で出力するテレビ番組を第１のテレビ番組から第２のテレビ番組に切替える切替手段と、第２のテレビ番組を特定する情報を記憶する記憶手段と、テレビジョン受像機を制御するためのリモートコントロール信号を生成する生成手段とを備え、生成手段は、第２のテレビ番組を特定する情報に基づいてリモートコントロール信号を生成する。
【０００８】
好ましくは、携帯受信機は出力手段で出力するテレビ番組のチャンネルを設定する設定手段をさらに備え、設定手段は、記憶手段に記憶される第２のテレビ番組を特定する情報に基づいてチャンネルを設定する。
【０００９】
好ましくは、リモートコントロール信号には、第２のテレビ番組を特定する情報と、第２のテレビ番組のチャンネルを特定する情報とが含まれる。
【００１０】
本発明の他の局面に従うと、テレビジョン受像機は、チューナで受信されたテレビ放送波を処理する処理手段と、テレビ放送波に基づいてテレビ番組を出力する出力手段と、リモートコントロール信号を受信する受信手段とを備え、リモートコントロール信号には第１のテレビ番組を特定する情報に基づいた制御信号が含まれ、リモートコントロール信号に含まれる制御信号に従ってチューナを起動させる起動手段と、リモートコントロール信号に含まれる制御信号に基づいて、出力手段で出力するテレビ番組のチャンネルを第１のチャンネルから、第１のテレビ番組を特定する情報に基づいた第２のチャンネルに切替えるチャンネル切替手段とをさらに備える。
【００１１】
好ましくは、テレビジョン受像機はリモートコントロール信号に含まれる制御信号で特定される第１のテレビ番組が放送中であることを判断する判断手段をさらに備え、チャンネル切替手段は、判断手段において第１のテレビ番組が放送中であることが判断された場合に、第１のチャンネルから第２のチャンネルに切替える。
【００１２】
好ましくは、テレビジョン受像機は、出力手段で出力するテレビ番組を第２のテレビ番組から第３のテレビ番組に切替える番組切替手段と、第３のテレビ番組を特定する情報を記憶する記憶手段と、リモートコントロール信号に含まれる制御信号で特定される第１のテレビ番組が放送中であることを判断する判断手段とをさらに備え、チャンネル切替手段は、判断手段において第１のテレビ番組が放送中でないことが判断された場合には、第１のチャンネルから第３のテレビ番組のチャンネルに切替える。
【００１３】
好ましくは、テレビジョン受像機は、リモートコントロール信号に含まれる制御信号で特定される第１のテレビ番組が放送中であることを判断する判断手段と、リモートコントロール信号を受信したときに電源がＯＮの状態であって、判断手段において第１のテレビ番組が放送中でないことが判断された場合に、その旨を報知する報知手段とをさらに備える。
【００１４】
好ましくは、リモートコントロール信号には電源をＯＮさせる制御信号が含まれ、テレビジョン受像機はリモートコントロール信号を受信したときに電源がＯＦＦの状態である場合に、上記制御信号に従ってチューナを起動させる起動手段をさらに備える。
【００１５】
本発明のさらに他の局面に従うと、テレビシステムは携帯受信機とテレビジョン受像機とを含み、携帯受信機は、チューナで受信されたテレビ放送波を処理する処理手段と、テレビ放送波に基づいてテレビ番組を出力する出力手段と、出力手段で出力するテレビ番組を第１のテレビ番組から第２のテレビ番組に切替える切替手段と、第２のテレビ番組を特定する情報を記憶する記憶手段と、テレビジョン受像機を制御するための、第２のテレビ番組を特定する情報に基づいた制御信号に基づいてリモートコントロール信号を生成する生成手段とを備え、テレビジョン受像機は、チューナで受信されたテレビ放送波を処理する処理手段と、テレビ放送波に基づいてテレビ番組を出力する出力手段と、リモートコントロール信号を受信する受信手段と、リモートコントロール信号に含まれる制御信号に従ってチューナを起動させる起動手段と、リモートコントロール信号に含まれる上記制御信号に基づいて、出力手段で出力するテレビ番組のチャンネルを第１のチャンネルから、第２のテレビ番組を特定する情報に基づいた第２のチャンネルに切替えるチャンネル切替手段とを備える。
【発明の効果】
【００１６】
本発明によると、テレビチューナ内蔵の携帯受信機で視聴中の番組を固定受信機で引続き視聴する際に、ユーザは、携帯受信機からテレビジョン受像機に、スムーズに視聴先を切替えることのできる。
【発明を実施するための最良の形態】
【００１７】
以下に、図面を参照しつつ、本発明の実施の形態について説明する。以下の説明では、同一の部品および構成要素には同一の符号を付してある。それらの名称および機能も同じである。
【００１８】
図１は、実施の形態にかかるテレビシステムの構成の具体例を示す図である。
図１を参照して、実施の形態にかかるテレビシステムは、テレビチューナ内蔵の携帯受信機の具体例である携帯電話機１と、固定式のテレビジョン受像機３とを含む。
【００１９】
図２は、携帯電話機１およびテレビジョン受像機３のハードウェア構成のうちの、主に、テレビジョン放送電波を処理する構成の具体例を示すブロック図である。
【００２０】
図２を参照して、携帯電話機１およびテレビジョン受像機３の、主に、テレビジョン放送電波を処理するハードウェア構成は、放送局から配信されるテレビジョン放送電波を受信するためのアンテナ１０１、受信したテレビジョン放送電波を処理するための受信処理部１０、テレビジョン放送電波に基づいて映像を出力するための処理を行なう映像処理部１１、液晶表示装置等の表示部１２、テレビジョン放送電波に基づいて音声を出力するための処理を行なう音声処理部１３、マイク等の音声出力部１４、ＣＰＵ（Central Processing Unit）などからなり装置全体の制御を行なう中央処理部１５、中央処理部１５で実行されるプログラム等を記憶する記憶部１６、装置に電源を供給する電源部１７、携帯電話機１およびテレビジョン受像機３間で送受信されるリモートコントロール信号を送受信するための通信部１８、およびチャンネルボタンやテンキー等のキー入力部１９を含んで構成される。
【００２１】
さらに、受信処理部１０には、チューナ１０２、復調部１０３、多重信号分離部１０４、番組特定情報・サービス情報処理部１０５、映像信号暗号解除処理部１０６、映像信号復号部１０７、音声信号暗号解除処理部１０８、および音声信号復号部１０９が含まれる。
【００２２】
チューナ１０２は、中央処理部１５からの制御信号に従ってアンテナ１０１で受信された放送電波の中から処理する放送電波を選択してデジタルデータに変換する。放送電波がデジタルデータに変換された結果であるテレビジョンデータは、復調部１０３で復調された後に、多重信号分離部１０４に入力される。テレビジョンデータには、暗号化された映像データと、暗号化された音声データと、ＥＰＧ（Electronic Program Guide）と呼ばれる番組に関する情報（以下、ＥＰＧ情報）とが含まれ、これらが、多重信号分離部１０４において分離される。
【００２３】
多重信号分離部１０４で分離された映像データである映像信号パケットは多重信号分離部１０４から映像信号暗号解除処理部１０６に入力されて、映像信号暗号解除処理部１０６において暗号化が解除され、映像信号復号部１０７において復号された後に、映像処理部１１に入力される。映像処理部１１は、中央処理部１５からの制御信号に従って、デジタルデータである映像データに基づいて表示部１２に表示させるための画像信号を生成し、表示部１２に表示させる。
【００２４】
多重信号分離部１０４で分離された音声データである音声信号パケットは多重信号分離部１０４から音声信号暗号解除処理部１０８に入力されて、音声信号暗号解除処理部１０８において暗号化が解除され、音声信号復号部１０９において復号された後に、音声処理部１３に入力される。音声処理部１３は、中央処理部１５からの制御信号に従って、デジタルデータである音声データをアナログ信号に変換して音声出力信号を生成し、音声出力部１４から出力させる。
【００２５】
多重信号分離部１０４で分離されたＥＰＧ情報は多重信号分離部１０４から番組特定情報・サービス情報処理部１０５に入力される。ＥＰＧ情報には、放送局（チャンネル）ごとに、チャンネルの名称や事業者名などの放送局を特定する情報、番組名などの番組を特定する情報、放送開始時間、放送時間長、番組記述、番組詳細記述（番組内容、出演者、原作／脚本、監督／演出、等）、番組のジャンル、映像モード、音声モード、および言語モードなどの番組情報が含まれる。さらに、ＥＰＧ情報には、現在放送されている番組についての番組情報と、次に放送される番組についての番組情報と、番組内に発生するイベント（コマーシャル、オープニング、等）に関する情報と、番組の放送予定を記述した番組表とが含まれる。番組特定情報・サービス情報処理部１０５はＥＰＧ情報を解析して番組表と現在の番組情報とを取得し、これらを映像処理部１１に入力する。映像処理部１１は、中央処理部１５からの制御信号に従って、番組表と現在の番組情報とを表示部１２に表示させるための表示出力信号を生成し、表示部１２に表示させる。
【００２６】
中央処理部１５は記憶部１６に記憶されているプログラムを実行し、キー入力部１９からの入力信号や通信部１８で受信したリモートコントロール信号などに応じた制御信号を生成して受信処理部１０や映像処理部１１や音声処理部１３や電源部１７等に出力する。また、通信部１８から出力させるためのリモートコントロール信号を生成し、通信部１８から出力させる。また、記憶部１６には番組情報記憶部１６１が含まれ、中央処理部１５は、必要に応じてＥＰＧ情報を番組情報記憶部１６１に記憶させる。
【００２７】
（携帯電話機１のテレビ機能について）
携帯電話機１の記憶部１６には、携帯電話機１に内蔵されているチューナ１０２を用いて放送局から配信される放送電波を処理して番組を出力するテレビジョン受像機として機能させるためのテレビ機能用のプログラムが記憶されている。
【００２８】
図３は、携帯電話機１がテレビ機能を起動するための機能構成の具体例を示すブロック図である。図３のブロック図に示される機能は、中央処理部１５が記憶部１６に記憶されている上記テレビ機能用のプログラムを読み出して実行することによって、主に中央処理部１５に形成される機能であるが、１つまたは２以上の機能が図２に示されたハードウェア構成で形成されてもよい。
【００２９】
図３を参照して、携帯電話機１がテレビ機能を起動するための機能構成は、番組切替検出部１５０１、番組特定部１５０３、およびチャンネル設定部１５０５を含む。また、携帯電話機１の記憶部１６には、上述の番組情報記憶部１６１に加えて、視聴情報記憶部１６３が含まれる。
【００３０】
番組切替検出部１５０１はキー入力部１９からの入力信号に基づいて、携帯電話機１において出力する番組を切替える操作がなされたことを検出する。また、番組切替検出部１５０１は図示しない現在時刻を取得する手段を備えて、現在時刻と番組情報記憶部１６１に記憶されている番組表とに基づいて、携帯電話機１において出力する番組が切替ったことを検出する。そして、その旨を示す検出信号が番組特定部１５０３に入力されて、番組特定部１５０３において、番組情報記憶部１６１に記憶されている番組表を参照して、視聴する番組が特定される。番組特定部１５０３は特定した番組を示す信号をチャンネル設定部１５０５に出力する。
【００３１】
番組特定部１５０３で特定された番組に関する情報は、視聴情報として視聴情報記憶部１６３に記憶される。ここで視聴情報は、番組が切替った際の、切替え後の番組を特定する情報を指し、具体的には、放送局を特定する情報や番組を特定する情報などが含まれる。視聴情報記憶部１６３には、少なくとも最終に切替えられた番組を特定する情報である視聴情報が記憶されておればよく、上述の番組の切替えが検出されると、先に記憶されている視聴情報に、切替え後の番組に対応した最新の視聴情報が上書きされてもよい。または、所定の期間蓄積されてもよい。
【００３２】
また、番組特定部１５０３は、視聴情報記憶部１６３に記憶されている（最新の）視聴情報を参照して最後に出力された番組にかかる放送局を特定し、チャンネル設定部１５０５にその放送局を示す信号を出力する。
【００３３】
チャンネル設定部１５０５では、番組特定部１５０３で特定された番組または放送局に基づいて放送局を設定する。
【００３４】
図４は、携帯電話機１においてテレビ機能を起動させたときの、携帯電話機１での処理の具体例を示すフローチャートである。図４のフローチャートに示される処理は、中央処理部１５が記憶部１６に記憶されているテレビ機能用のプログラムを読み出して実行し、図３に示された機能を制御することによって実現される。
【００３５】
図４を参照して、テレビ機能用のプログラムが起動すると、始めに、番組特定部１５０３は視聴情報記憶部１６３の視聴情報を読み出して（ステップＳ１０１）、最新の視聴情報に基づいて放送局を特定する。そして、チャンネル設定部１５０５において、その放送局からの放送電波を処理するように、対応するチャンネルが視聴する番組のチャンネルとして設定される（ステップＳ１０３）。受信処理部１０ではステップＳ１０３で設定されたチャンネルに対応した放送電波を処理し、映像処理部１１において表示部１２で表示するための処理が行なわれて表示部１２において出力される（ステップＳ１０５）。もちろん、ステップＳ１０５では放送電波に含まれるの声信号も同様に処理される。
【００３６】
次に、番組切替検出部１５０１において出力している番組が切替ったことが検出されると（ステップＳ１０７でＹＥＳ）、つまり、番組切替検出部１５０１が、ユーザからチャンネルを切替える操作がなされたことを検出する、または出力していた番組が終了して次の番組に切替ったことを検出すると、番組特定部１５０３で特定された次の番組に関する情報が視聴情報として視聴情報記憶部１６３に記憶される（ステップＳ１０９）。
【００３７】
上述のステップＳ１０５〜Ｓ１０９の処理はテレビ機能が起動している間繰返されて、テレビ機能を終了するための操作がなされたことが検出されると（ステップＳ１１１でＹＥＳ）、一連の処理が終了する。
【００３８】
（携帯電話機１のリモコン機能について）
携帯電話機１の記憶部１６には、携帯電話機１を、テレビジョン受像機３を操作するためのリモートコントローラ（以下、リモコン）として機能（リモコン機能）させるためのリモコン機能用のプログラムも記憶されている。
【００３９】
図５は、携帯電話機１がリモコン機能を起動するための機能構成の具体例を示すブロック図である。図５のブロック図に示される機能は、中央処理部１５が記憶部１６に記憶されている上記リモコン機能用のプログラムを読み出して実行することによって、主に中央処理部１５に形成される機能であるが、１つまたは２以上の機能が図２に示されたハードウェア構成で形成されてもよい。
【００４０】
図５を参照して、携帯電話機１がリモコンとして機能するための機能構成は、リモコン起動検出部１５０７、リモコンコード設定部１５０９、読出部１５１１、およびチャンネル指示部１５１３を含んで構成される。また、携帯電話機１の記憶部１６には、上述の番組情報記憶部１６１に加えて、視聴情報記憶部１６３およびリモコンコードテーブル記憶部１６５が含まれる。
【００４１】
リモコン起動検出部１５０７はキー入力部１９からの入力信号を監視し、リモコン機能を起動させるための操作が行なわれたことを検出して、その旨を示す検出信号をリモコンコード設定部１５０９に入力する。
【００４２】
リモコンコードとは、携帯電話機１とテレビジョン受像機３との間で予め取り決められている、テレビジョン受像機３に対してリモコン機能による操作信号であるリモートコントロール信号を送信し得る携帯電話機１を特定する情報であり、たとえば、予めテレビジョン受像機３に登録されている場合には、当該携帯電話機１の固有番号（たとえば電話番号や製造番号等）であってもよい。リモコンコードテーブル記憶部１６５には、リモートコントロール信号を送信し得るテレビジョン受像機とリモコンコードとの対応を記述したリモコンコードテーブルが記憶されている。なお、リモコンコードの記憶方法はテーブル形式に限定されず、その他の形式であってもよい。
【００４３】
リモコンコード設定部１５０９では、リモコン機能が起動する際にはリモコンコードテーブル記憶部１６５を参照してテレビジョン受像機３に対応したリモコンコードを設定し、生信号生成・出力部１５１５にその信号を出力する。
【００４４】
キー入力部１９からの入力信号がチャンネルを指定する操作による入力信号である場合には、チャンネル指示部１５１３においてその入力信号に基づいてチャンネルを指示する信号が生成されて、信号生成・出力部１５１５に入力される。また、指定されたチャンネルに応じた放送局を指定する情報が最新の視聴情報として視聴情報記憶部１６３に記憶される。
【００４５】
読出部１５１１は視聴情報記憶部１６３に記憶されている視聴情報を参照し、最新の視聴情報である、最後に出力した番組に対応した放送局を指定する情報を示す信号を信号生成・出力部１５１５に入力する。
【００４６】
信号生成・出力部１５１５は、キー入力部１９からの入力信号、チャンネル指示部１５１５３からの信号、または読出部１５１１からの信号と、リモコンコード設定部１５０９で設定されたリモコンコードとに基づいて、テレビジョン受像機３に対する制御信号であるコードと、リモコンコードとを含んだリモートコントロール信号を生成し、テレビジョン受像機３に出力させるために通信部１８に出力する。
【００４７】
図６は、携帯電話機１においてリモコン機能を起動させたときの、携帯電話機１での処理の具体例を示すフローチャートである。図６のフローチャートに示される処理は、中央処理部１５が記憶部１６に記憶されているリモコン機能用のプログラムを読み出して実行し、図５に示された機能を制御することによって実現される。
【００４８】
図６を参照して、リモコン機能用のプログラムが起動すると、始めに、リモコンコード設定部１５０９はリモコンコードテーブル記憶部１６５よりリモコンコードテーブルを読み出して（ステップＳ２０１）、リモコンコードを設定する（ステップＳ２０３）。さらに、読出部１５１１は視聴情報記憶部１６３より最新の視聴情報を読出す（ステップＳ２０５）。
【００４９】
キー入力部１９に含まれる（図示されない）テレビジョン受像機３の電源をＯＮするためのキーにおいて電源ＯＮの操作がなされたこと、またはリモコン機能用のプログラムにおいてテレビジョン受像機３をＯＮするための操作がなされたことが検出されると（ステップＳ２０７でＹＥＳ）、信号生成・出力部１５１５において、テレビジョン受像機３の電源をＯＮするための制御信号であるＯＮコードを含んだリモートコントロール信号を生成し、通信部１８よりテレビジョン受像機３に対して送信する（ステップＳ２０９）。さらに、信号生成・出力部１５１５において、ステップＳ２０５で読み出された視聴情報に基づいて、最新の視聴情報に対応する番組をテレビジョン受像機３に出力させるための制御信号である番組コードを含んだリモートコントロール信号を生成し、通信部１８よりテレビジョン受像機３に対して送信する（ステップＳ２１１）。つまり、携帯電話機１においてテレビジョン受像機３の電源をＯＮするための操作がなされた場合には、携帯電話機１において最後に出力していた番組を継続してテレビジョン受像機３でも出力させるように、電源をＯＮさせるためのＯＮコードの送信に加えて、最新の視聴情報に基づいて番組コードが送信される。上記番組コードには、視聴情報に含まれている、番組を特定する情報と放送局を特定する情報とが含まれていることが好ましい。
【００５０】
なお、ここでのテレビジョン受像機３の電源ＯＮ状態とは、テレビジョン受像機３において番組の出力が行なわれている状態を指し、テレビジョン受像機３の電源ＯＦＦ状態とは、テレビジョン受像機３において番組の出力が行なわれていない状態を指すものとする。
【００５１】
上記ステップＳ２１１で生成されて送信されるリモートコントロール信号には、上記番組コードに加えて、携帯電話機１で出力していた番組を継続してテレビジョン受像機３でも出力させるモードである継続モードを表わす信号が含まれていることが好ましい。
【００５２】
なお、上述のテレビジョン受像機３の電源をＯＮさせるための操作に替えて、携帯電話機１で出力していた番組を継続してテレビジョン受像機３で出力させるための操作が行なわれてもよい。たとえば、キー入力部１９に含まれる（図示されない）テレビジョン受像機３で継続して番組を出力させるための「継続ボタン」を押す操作であってもよいし、リモコン機能用のプログラムが実行されることで表示部１２に表示されるボタンを押す操作であってもよい。この場合には、上記ステップＳ２０９はスキップされて電源ＯＮコードを含んだリモートコントロール信号の送信は行なわれず、ステップＳ２１１で番組コードと、継続モードであることを示す信号を含んだリモートコントロール信号が送信されるのみであってもよい。
【００５３】
キー入力部１９に含まれる（図示されない）数字キー（テンキー）が操作されたことが検出されると（ステップＳ２０７でＮＯ，かつＳ２１３でＹＥＳ）、信号生成・出力部１５１５においてステップＳ２１３で操作されたキーで示される放送局を特定する情報（放送局コード）に対応する番組をテレビジョン受像機３に出力させるための制御信号であるチャンネルコードを含んだリモートコントロール信号を生成し、通信部１８よりテレビジョン受像機３に対して送信する（ステップＳ２１５）。さらに、ステップＳ２１３で操作されたキーで示される放送局を特定する情報（放送局コード）が、最新の視聴情報として視聴情報記憶部１６３に記憶される（ステップＳ２１７）。
【００５４】
キー入力部１９に含まれる（図示されない）上下キー（またはスクロールキー）が操作されたことが検出されると（ステップＳ２０７でＮＯ，Ｓ２１３でＮＯ，かつＳ２１９でＹＥＳ）、信号生成・出力部１５１５において、テレビジョン受像機３にステップＳ２１３で操作された方向に音量を調整させるための制御信号である音量コードを含んだリモートコントロール信号を生成し、通信部１８よりテレビジョン受像機３に対して送信する（ステップＳ２２１）。
【００５５】
キー入力部１９に含まれる（図示されない）テレビジョン受像機３の電源をＯＦＦするためのキーにおいて電源ＯＦＦの操作がなされたこと、またはリモコン機能用のプログラムにおいてテレビジョン受像機３をＯＦＦするための操作がなされたことが検出されると（ステップＳ２０７でＮＯ，Ｓ２１３でＮＯ，Ｓ２１９でＮＯ，かつＳ２２３でＹＥＳ）、信号生成・出力部１５１５において、テレビジョン受像機３の電源をＯＦＦするための制御信号であるＯＦＦコードを含んだリモートコントロール信号を生成し、通信部１８よりテレビジョン受像機３に対して送信する（ステップＳ２２５）。
【００５６】
上述のステップＳ２０７〜Ｓ２２５の処理はリモコン機能が起動している間繰返されて、リモコン機能を終了するための操作がなされたことが検出されると（ステップＳ２２７でＹＥＳ）、一連の処理が終了する。
【００５７】
（テレビジョン受像機３の処理について）
テレビジョン受像機３の記憶部１６には、携帯電話機１からのリモートコントロール信号に従って全体を制御するためのプログラムが記憶されている。
【００５８】
図７は、テレビジョン受像機３が携帯電話機１からのリモートコントロール信号に従って全体を制御するための機能構成の具体例を示すブロック図である。図７のブロック図に示される機能は、中央処理部１５が記憶部１６に記憶されている上記プログラムを読み出して実行することによって、主に中央処理部１５に形成される機能であるが、１つまたは２以上の機能が図２に示されたハードウェア構成で形成されてもよい。
【００５９】
図７を参照して、テレビジョン受像機３が携帯電話機１からのリモートコントロール信号に従って全体を制御するための機能構成は、リモートコントロール信号入力部１５２０、コード解析部１５２１、第１判断部１５２３、チューナ起動部１５２５、第２判断部１５２７、チャンネル設定部１５２９、および第３判断部１５３１を含んで構成される。また、テレビジョン受像機３の記憶部１６には、上述の番組情報記憶部１６１に加えて、視聴情報記憶部１６７が含まれる。視聴情報は、先述のように、テレビジョン受像機３において出力する番組が切替った際の、切替え後の番組を特定する情報を指し、具体的には、放送局を特定する情報や番組を特定する情報などが含まれる。テレビジョン受像機３の記憶部１６に含まれる視聴情報記憶部１６７には、携帯電話機１の記憶部１６に含まれる視聴情報記憶部１６３と同様に、少なくとも最終に切替えられた番組を特定する情報である視聴情報が記憶されておればよく、上述の番組の切替えが検出されると、先に記憶されている視聴情報に、切替え後の番組に対応した最新の視聴情報が上書きされてもよい。または、所定の期間蓄積されてもよい。
【００６０】
リモートコントロール信号入力１５２０は、通信部１８において受信された携帯電話機１からのリモートコントロール信号を受付けて、コード解析部１５２１に入力する。コード解析部１５２１では、入力されたリモートコントロール信号を解析して、含まれる制御信号であるコードを抽出する。抽出されたコードは、第１判断部１５２１および第２判断部１５２７に入力される。
【００６１】
第１判断部１５２１では、入力されたコードがテレビジョン受像機３に電源をＯＮさせるための制御信号であるＯＮコードである場合に、テレビジョン受像機３の電源がＯＮ状態であるかＯＦＦ状態であるかを判断し、その結果を示す信号をチューナ起動部１５２５に出力する。チューナ起動部１５２５はその信号に従って、チューナ１０２に対して起動させるための制御信号を出力し、チューナ１０２を起動させる。
【００６２】
第２判断部１５２７では、入力されたコードがテレビジョン受像機３に電源をＯＮさせるための制御信号であるＯＮコードであり、さらに携帯電話機１で出力していた番組を継続して出力させるためのコードであるか否か、つまり上述の継続モードであるか否かを判断し、その結果に応じてチャンネル設定部１５２９または第３判断部１５３１に制御信号を出力する。第２判断部１５２７では、ＯＮコードに引続いて継続モードを示す信号が含まれたコードが入力されたか否かを判断することで継続モードであるか否かを判断する。
【００６３】
第３判断部１５３１は、継続モードであり、入力されたコードが携帯電話機１に記憶されている最新の視聴情報に対応する番組をテレビジョン受像機３に出力させるための制御信号である番組コードである場合に、記憶部１６の番組情報情報記憶部１６１に記憶されている番組表を参照して、その番組コードで特定される番組が現在放送中であるか否かを判断し、その結果に応じた制御信号をチャンネル設定部１５２９に出力する。
【００６４】
チャンネル設定部１５２９は、第２判断部１５２７において継続モードではないと判断された場合には、リモートコントロール信号にチャンネルコードが含まれているときには、そのチャンネルコードに応じたチャンネルを設定し、チューナ１０２に対してそのチャンネルに対応した放送電波を選択させるための制御信号を出力する。また、第２判断部１５２７において継続モードであると判断された場合であっても、リモートコントロール信号に番組コードが含まれておらずにチャンネルコードが含まれているときには、チャンネル設定部１５２９は、そのチャンネルコードで特定されるチャンネルを設定し、チューナ１０２に対してそのチャンネルに対応した放送電波を選択させるための制御信号を出力する。また、第３判断部１５３１において番組コードで特定される番組が現在放送中であると判断された場合には、チャンネル設定部１５２９は、番組コードで特定される番組を出力するために番組コードで特定されるチャンネルを設定し、チューナ１０２に対してそのチャンネルに対応した放送電波を選択させるための制御信号を出力する。
【００６５】
第３判断部１５３１は、番組コードで特定される番組の放送がすでに終了していると判断された場合には、記憶部１６の視聴情報記憶部１６７に記憶されている最新の視聴情報を参照して、その視聴情報から放送局を特定する情報（チャンネル）を読出し、その情報と共に制御信号をチャンネル設定部１５２９に入力する。このとき、チャンネル設定部１５２９は第３判断部１５３１からの制御信号に従ってチャンネルを設定し、チューナ１０２に対してそのチャンネルに対応した放送電波を選択させるための制御信号を出力する。
【００６６】
チャンネル設定部１５２９で設定されたチャンネルに応じた放送局を特定する情報は、最新の視聴情報として視聴情報記憶部１６７に記憶される。
【００６７】
図８および図９はテレビジョン受像機３において、携帯電話機１からのリモートコントロール信号に応じて実行される処理の具体例を示すフローチャートであり、図８のフローチャートは、テレビジョン受像機３の電源がＯＦＦの状態であるときの処理、図９のフローチャートはテレビジョン受像機３の電源がＯＮの状態であるときの処理を示している。これらのフローチャートに示される処理は、中央処理部１５が記憶部１６に記憶されているプログラムを読み出して実行し、図７に示された機能を制御することによって実現される。
【００６８】
図８を参照して、電源がＯＦＦの状態である場合に、テレビジョン受像機３において携帯電話機１から電源をＯＮさせるためのＯＮコードではないコードを含んだリモートコントロール信号を受信した場合には、含まれるコードに従った処理が実行される。
【００６９】
具体的には、携帯電話機１から上記ステップＳ２１５で送信されたチャンネルコードを含んだリモートコントロール信号を受信した場合には（ステップＳ３０１でＮＯ，かつＳ３０３でＹＥＳ）、チャンネル設定部１５２９において、チャンネルコードに従ったチャンネルが設定されて、テレビジョン受像機３のチャンネルが切替えられる（ステップＳ３０５）。そして、受信処理部１０、映像処理部１１、および音声処理部１３において映像および音声を生成する処理が実行されて（ステップＳ３０７）、表示部１２および音声出力部１４からそれぞれ出力される（ステップＳ３０９）。これにより、携帯電話機１をテレビジョン受像機３のリモコンとして機能させて、チャンネルを切替える操作を行なうことができる。なお、ここでの処理は本願発明において特定の処理方法には限定されず、すでに行なわれている処理方法を採用することができる。
【００７０】
携帯電話機１から上記ステップＳ２２１で送信された音量コードを含んだリモートコントロール信号を受信した場合には（ステップＳ３０１でＮＯ，かつＳ３１１でＹＥＳ）、中央制御部１５において、音量コードに従った音量となるような制御信号が生成されて、音声処理部１３に対して出力される（ステップＳ３１３）。これにより、携帯電話機１をテレビジョン受像機３のリモコンとして機能させて、テレビジョン受像機３の音量を調整する操作を行なうことができる。なお、ここでの処理もまた本願発明において特定の処理方法には限定されず、すでに行なわれている処理方法を採用することができる。
【００７１】
電源がＯＦＦの状態において携帯電話機１から上記ステップＳ２０９で送信されたＯＮコードを含んだリモートコントロール信号を受信した場合には（ステップＳ３０１でＹＥＳ）、チューナ起動部１５２５によってチューナ１０２が起動される（ステップＳ３１９）。さらに、リモートコントロール信号に含まれるコードが上述の継続モードを示すものであり（ステップＳ３２１でＹＥＳ）、リモートコントロール信号に番組コードが含まれている場合には（ステップＳ３２３でＹＥＳ）、中央制御部１５はＥＰＧ情報を取得して（ステップＳ３２５）、第３判断部１５３１において、番組コードで特定される番組が放送中であるか否かが判断される（ステップＳ３２７）。なお、ＥＰＧ情報は必ずしもこのタイミングに取得されなくてもよく、所定のタイミングに取得された予め番組情報記憶部１６１に記憶されていてもよい。
【００７２】
ステップＳ３２７での判断の結果、番組コードで特定される番組が放送中である場合には（ステップＳ３２７でＹＥＳ）、チャンネル設定部１５２９において番組コードで特定されるチャンネルが設定される（ステップＳ３３３）。これにより、携帯電話機１の最新の視聴情報に対応した番組、つまり、この操作が行なわれた時点に最も近い過去に切替えられた番組が、継続してテレビジョン受像機３でも出力される。
【００７３】
一方、番組コードで特定される番組の放送がすでに終了していることが判断された場合には（ステップＳ３２７でＮＯ）、視聴情報記憶部１６７に記憶されている最新の視聴情報からチャンネルが読出されて、チャンネル設定部１５２９において設定される（ステップＳ３２９，Ｓ３３１）。これにより、携帯電話機１の最新の視聴情報に対応した番組、つまり、この操作が行なわれた時点に最も近い過去に切替えられた番組がすでに終了していた場合には、その番組のチャンネルが設定されるのではなく、テレビジョン受像機３の最新の視聴情報に対応したチャンネル、つまり、テレビジョン受像機３でこのリモートコントロール信号を受信した時点に最も近い過去に切替えられたチャンネルが設定される。
【００７４】
リモートコントロール信号に含まれるコードに上述の継続モードを示す信号が含まれていない場合、つまり継続モードではない場合（ステップＳ３２１でＮＯ）、または継続モードであってもリモートコントロール信号に番組コードが含まれていない場合には（ステップＳ３２１でＹＥＳ，かつＳ３２３でＮＯ）、リモートコントロール信号にチャンネルコードが含まれている場合には（ステップＳ３３５でＹＥＳ）、チャンネル設定部１５２９においてチャンネルコードで特定されるチャンネルが設定される（ステップＳ３３７）。これにより、携帯電話機１で指定されたチャンネルがテレビジョン受像機３で設定される。なお、リモートコントロール信号にチャンネルコードが含まれていない場合には（ステップＳ３３５でＮＯ）、上記ステップＳ３２９，Ｓ３３１の処理が実行されて、視聴情報記憶部１６７に記憶されている最新の視聴情報からチャンネルが読出されて、チャンネル設定部１５２９において設定される。これにより、携帯電話機１をテレビジョン受像機３のリモコンとして機能させて、テレビジョン受像機３の電源をＯＮさせ、最後に出力したチャンネルを出力させる操作を行なうことができる。
【００７５】
上記ステップＳ３０１〜Ｓ３３７は携帯電話機１から電源をＯＦＦさせるＯＦＦコードを含んだリモートコントロール信号を受信するまで繰返され、携帯電話機１から受信したリモートコントロール信号にＯＦＦコードが含まれていると（ステップＳ３１５でＹＥＳ）、そのときに設定されているチャンネルが視聴情報として視聴情報記憶部１６７に記憶されて（ステップＳ３１７）、一連の処理が終了する。なお、視聴情報記憶部１６７には少なくとも最新の（最終の）視聴情報が記憶されていればよいため、視聴情報記憶部１６７に視聴情報を記憶するタイミングは上記ステップＳ３１７のタイミングに限定されない。たとえば、上記ステップＳ３０５，Ｓ３３１，Ｓ３３７においてチャンネルが設定されるたびに、そのチャンネルが視聴情報として記憶されてもよい。
【００７６】
また、テレビジョン受像機３の電源がＯＮの状態である場合には、図９を参照して、携帯電話機１から上記ステップＳ２０９で送信されたＯＮコードを含んだリモートコントロール信号を受信した場合には（ステップＳ３０１でＹＥＳ）、すでにチューナ１０２は起動しているために、上記ステップＳ３１９の処理はなされない。その他は図８のフローチャートに示された処理と同様の処理が実行されて、番組コードで特定される番組の放送がすでに終了していることが判断された場合には（ステップＳ３２７でＮＯ）、上記ステップＳ３２９，Ｓ３３１の処理に替えて、その旨を報知する処理が実行される（ステップＳ３３０）。ステップＳ３３０では、たとえば、中央処理部１５からの制御信号に従って、映像処理部１１で、現在出力中の画面上にその旨を示すメッセージや画面を表示するための処理が行なわれ、表示部１２に表示されてもよい。または、中央処理部１５からの制御信号に従って、音声処理部１３で、現在出力中の音声に重ねて、または替えてその旨を示すメッセージや特定のパターン音を出力するための処理が行なわれ、音声出力部１４から出力されてもよい。これにより、テレビジョン受像機３で番組を出力中の状態において携帯電話機１から指示された番組の放送がすでに終了している場合には、出力中の番組を切替えることなく、その旨が報知される。
【００７７】
なお、以上の実施の携帯においては、携帯電話機１においてテレビジョン受像機３の電源をＯＮさせる操作が行なわれたときに、ＯＮコードに引続いて、最新の視聴情報に基づいた番組コードと継続モードを示す信号とを含むリモートコントロール信号が携帯電話機１からテレビジョン受像機３に送信されるものとし（ステップＳ２０７，Ｓ２０９，Ｓ２１１）、テレビジョン受像機３の第２判断部１５２７では、リモートコントロール信号に継続モードを示す信号が含まれているか否かが判断されるものとしているが（ステップＳ３２３）、テレビジョン受像機３において、携帯電話機１で出力されていた番組を継続して出力するか否かを判断するための構成はこの構成に限定されない。たとえば、継続モードを示す信号を用いず、携帯電話機１からはＯＮコードに引続いて番組コードを含むリモートコントロール信号がテレビジョン受像機３に送信され、テレビジョン受像機３の第２判断部１５２７では、ＯＮコードの受信に引続いて、リモートコントロール信号に番組コードが含まれているか否かを判断することで、テレビジョン受像機３において、携帯電話機１で出力されていた番組を継続して出力するか否かを判断するようにしてもよい。この場合には、テレビジョン受像機３では、上記ステップＳ３２１の判断が行なわれない。つまり、上記ステップＳ３２１はテレビジョン受像機３での処理において必須の処理ではない。
【００７８】
実施の形態にかかる携帯電話機１およびテレビジョン受像機３において上述の処理が実行されることで、実施の形態にかかるテレビシステムでは、図１０に示されるような処理の流れが実現される。すなわち、図１０を参照して、ユーザが、たとえば帰宅途中などで携帯電話機１を用いて番組を視聴しているとする。あるタイミング（たとえば帰宅して玄関に入る時、等）に携帯電話機１のテレビ機能を終了し、番組の出力を終了すると、携帯電話機１では、最後に切替えられた番組について、つまり出力を終了した番組について、放送局を指定する情報と番組を指定する情報とが視聴情報として記憶される。その後、所定のタイミング（たとえば帰宅してテレビジョン受像機３が設置されている部屋に行った時、等）に、ユーザが携帯電話機１で、テレビジョン受像機３をＯＮするための操作や携帯電話機１で出力していた番組を引続きテレビジョン受像機３で出力させるための操作を行なうと、携帯電話機１からは記憶されている視聴情報に基づいて放送局を指定する情報と番組を指定する情報とがリモートコントロール信号としてテレビジョン受像機３に送信される。その際、携帯電話機１で出力していた番組がまだ放送中である場合には、テレビジョン受像機３のチャンネルがその番組のチャンネルに切換わる。携帯電話機１で出力していた番組の放送が終了している場合には、すでにテレビジョン受像機３が他の番組を出力しているときにはチャンネルが切換わらない。また、テレビジョン受像機３が電源がＯＦＦの状態であるときには、テレビジョン受像機３の電源がＯＮされて、テレビジョン受像機３において最後に出力していたチャンネルとなる。
【００７９】
実施の形態にかかるテレビシステムでこのような処理が行なわれることで、携帯電話機１で番組を視聴していたユーザは、簡単な操作でスムーズに視聴先をテレビジョン受像機３に切替えることができる。さらに、携帯電話機１での番組の出力を一旦終了した後に視聴先をテレビジョン受像機３に切替える、その番組の放送が終了していたときには、テレビジョン受像機３で最後に出力していたチャンネルが設定される。つまり、テレビジョン受像機３がＯＮ状態であった場合には、テレビジョン受像機３で出力中のチャンネルが変更されない。このために、ユーザが携帯電話機１で視聴していた番組の終了をテレビジョン受像機３で確認してからチャンネルを変更するという操作をなくすことができ、スムーズに視聴先を切替えることができる。
【００８０】
なお、以上の実施の形態では、テレビシステムには、携帯受信機としてのチューナ内蔵の携帯電話機１とテレビジョン受像機３とが含まれて、携帯電話機１からテレビジョン受像機３に対してリモートコントロール信号が送信されて、テレビジョン受像機３でそのリモートコントロール信号に従って処理がなされるものとしているが、テレビシステムの構成はこの構成に限定されない。たとえば、チューナ内蔵の複数台の携帯電話機において、第１の携帯電話機から第２の携帯電話機に対してリモートコントロール信号が送信されて、第２の携帯電話機においてそのリモートコントロール信号に従って処理が行なわれてもよい。またたとえば、テレビジョン受像機３は固定式のテレビジョン受像機に限定されず、携帯型などの移動可能なテレビジョン受像機であってもよい。またたとえば、携帯受信機は携帯受信機に限定されず、携帯型などの移動可能なテレビジョン受像機や、チューナ内蔵のゲーム機などであってもよい。さらには、携帯受信機は、たとえばテレビ番組の音声を出力することが可能なラジオのような、放送電波に基づいて音声出力または映像出力の一方のみ行なわれる装置であってもよい。
【００８１】
さらに、上述の携帯電話機１での処理をコンピュータに実行させるリモコン機能用のプログラム、およびテレビジョン受像機３での処理をコンピュータに実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８２】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８４】
提供されるプログラム製品は、ハードディスクなどのプログラム格納部にインストールされて実行される。なお、プログラム製品は、プログラム自体と、プログラムが記録された記録媒体とを含む。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８６】
【図１】実施の形態にかかるテレビシステムの構成の具体例を示す図である。
【図２】携帯電話機１およびテレビジョン受像機３のハードウェア構成のうちの、主に、テレビジョン放送電波を処理する構成の具体例を示すブロック図である。
【図３】携帯電話機１がテレビ機能を起動するための機能構成の具体例を示すブロック図である。
【図４】携帯電話機１においてテレビ機能を起動させたときの、携帯電話機１での処理の具体例を示すフローチャートである。
【図５】携帯電話機１がリモコン機能を起動するための機能構成の具体例を示すブロック図である。
【図６】携帯電話機１においてリモコン機能を起動させたときの、携帯電話機１での処理の具体例を示すフローチャートである。
【図７】テレビジョン受像機３が携帯電話機１からのリモートコントロール信号に従って全体を制御するための機能構成の具体例を示すブロック図である。
【図８】テレビジョン受像機３において、テレビジョン受像機３の電源がＯＦＦの状態から、携帯電話機１からのリモートコントロール信号に応じて実行される処理の具体例を示すフローチャートである。
【図９】テレビジョン受像機３において、テレビジョン受像機３の電源がＯＮの状態から、携帯電話機１からのリモートコントロール信号に応じて実行される処理の具体例を示すフローチャートである。
【図１０】実施の形態にかかるテレビシステムでの処理の流れを説明する図である。
【符号の説明】
【００８７】
１  携帯電話機、３  テレビジョン受像機、１０  受信処理部、１１  映像処理部、１２  表示部、１３  音声処理部、１４  音声出力部、１５  中央処理部、１６  記憶部、１７  電源部、１８  通信部、１９  キー入力部、１０１  アンテナ、１０２  チューナ、１０３  復調部、１０４  多重信号分離部、１０５  番組特定情報・サービス情報処理部、１０６  映像信号暗号解除処理部、１０７  映像信号復号部、１０８  音声信号暗号解除処理部、１０９  音声信号復号部、１６１  番組情報記憶部、１６３，１６７  視聴情報記憶部、１６５  リモコンコードテーブル記憶部、１５０１  番組切替検出部、１５０３  番組特定部、１５０５  チャンネル設定部、１５０７  リモコン起動検出部、１５０９  リモコンコード設定部、１５１１  読出部、１５１３  チャンネル指示部、１５２０  リモートコントロール信号入力部、１５２１  コード解析部、１５２３  第１判断部、１５２５  チューナ起動部、１５２７  第２判断部、１５２９  チャンネル設定部、１５３１  第３判断部。
【図１】
2008263423.tif 000003
【図２】
2008263423.tif 000004
【図３】
2008263423.tif 000005
【図４】
2008263423.tif 000006
【図５】
2008263423.tif 000007
【図６】
2008263423.tif 000008
【図７】
2008263423.tif 000009
【図８】
2008263423.tif 000010
【図９】
2008263423.tif 000011
【図１０】
2008263423.tif 000012